(57)【特許請求の範囲】
【請求項１】
一対のサイドフレーム部と、前記一対のサイドフレーム部間に亘る第一クロスバー及び第二クロスバーとを有し、バックル背面側から挿通されてバックル前面側に引き出された帯状体を前記第一クロスバーと前記第二クロスバーとの間から再び前記バックル背面側に引き出して前記第二クロスバーに掛け回した状態において前記帯状体に留め付く留め付け部分を少なくとも一箇所備えてなるバックル本体と、
前記バックル本体に対し取り付けられるカバー部材とを備え、
取り付けられた前記カバー部材と前記第二クロスバーとの間で前記帯状体を挟持するようにしてなり、
前記バックル本体は、前記一対のサイドフレーム部の一端部間に亘るエンドバーと、前記一対のサイドフレーム部の他端部間に亘るエンドバーとを備えると共に、
前記カバー部材は、その一端側に、二箇所の前記エンドバーの一方に設けた溝状をなす被係合部に納まる前記カバー部材の幅方向に沿ったリブ状の突出部としての係合部を有しており、
前記カバー部材を、前記被係合部に前記係合部を係合させると共にその他端を前記バックル本体と離隔させた起立状態から前記係合部を支点としてその他端を前記バックル本体に接しさせる伏倒位置まで移動させることで、前記バックル本体に嵌合するようにさせてなる、バックル。
【請求項２】
前記カバー部材の前記帯状体の長さ方向に沿う向きの寸法を、二箇所の前記エンドバー間の距離と等しくさせてなる、請求項１に記載のバックル。
【請求項３】
前記カバー部材における前記帯状体に接して前記挟持をなす挟持部分を、前記カバー部材の内面部から突き出すリブ状とさせてなる、請求項１又は請求項２に記載のバックル。
【請求項４】
前記挟持部分を、前記二箇所の前記エンドバーの一方と前記第二クロスバーとの間に位置されるようにしてなる、請求項３に記載のバックル。
【請求項５】
爪部を備えた弾性片及び前記伏倒位置において前記弾性片の弾性復帰により前記爪部が引っかかる引っかかり部の一方を前記カバー部材に、これらの他方を前記バックル本体に備えさせて、前記カバー部材が前記バックル本体に嵌合するようにさせてなる、請求項１〜請求項４のいずれか1項に記載のバツクル。
【発明の詳細な説明】
【技術分野】
【０００１】
この発明は、帯状体の留め付けに利用されるバックルの改良に関する。
【背景技術】
【０００２】
枠状をなすバックル内に挿通されてクロスバーに掛け回されて引き出された帯状体を、挟持部材の自由端と前記クロスバーとの間でさらに挟持するようにして、帯状体に対するバックルの留め付け位置をより安定的に維持するようにしたものとして、特許文献１に示されるものがある。
【先行技術文献】
【特許文献】
【０００３】
【特許文献１】特開２０１１−１５２１９３号公報
【発明の概要】
【発明が解決しようとする課題】
【０００４】
この発明が解決しようとする主たる問題点は、この種のバックルにおける帯状体に対する留め付け状態を安定的に確保しながら、帯状体に留め付けられたバックルの外観性を効果的に向上可能とする点にある。
【課題を解決するための手段】
【０００５】
前記課題を達成するために、この発明にあっては、バックルを、一対のサイドフレーム部と、前記一対のサイドフレーム部間に亘る第一クロスバー及び第二クロスバーとを有し、バックル背面側から挿通されてバックル前面側に引き出された帯状体を前記第一クロスバーと前記第二クロスバーとの間から再び前記バックル背面側に引き出して前記第二クロスバーに掛け回した状態において前記帯状体に留め付く留め付け部分を少なくとも一箇所備えてなるバックル本体と、
前記バックル本体に対し取り付けられるカバー部材とを備え、
取り付けられた前記カバー部材と前記第二クロスバーとの間で前記帯状体を挟持するようにしてなる、ものとした。
【０００６】
前記カバー部材によって、前記バックル本体の帯状体に対する留め付け位置が予期せずズレてしまう事態を、できるだけ防止することができる。また、かかるカバー部材によって、枠状を呈する前記バックル本体の内側の全部又は一部を覆って、バックルの外観性を向上することができる。
【０００７】
前記バックル本体は、前記一対のサイドフレーム部の一端部間に亘るエンドバーと、前記一対のサイドフレーム部の他端部間に亘るエンドバーとを備えると共に、
前記カバー部材の前記帯状体の長さ方向に沿う向きの寸法を、二箇所の前記エンドバー間の距離と等しくさせておくことが、この発明の好ましい態様の一つとされる。
【０００８】
また、前記カバー部材における前記帯状体に接して前記挟持をなす挟持部分を、前記カバー部材の内面部から突き出すリブ状とさせておくことが、この発明の好ましい態様の一つとされる。
【０００９】
また、前記挟持部分を、前記二箇所の前記エンドバーの一方と前記第二クロスバーとの間に位置されるようにしておくことが、この発明の好ましい態様の一つとされる。
【００１０】
また、前記カバー部材は、その一端側に、二箇所の前記エンドバーの一方に設けた溝状をなす被係合部に納まる前記カバー部材の幅方向に沿ったリブ状の突出部としての係合部を有しており、
前記カバー部材を、被係合部に前記係合部を係合させると共にその他端を前記バックル本体と離隔させた起立状態から前記係合部を支点としてその他端を前記バックル本体に接しさせる伏倒位置まで移動させることで、前記バックル本体に嵌合するようにさせておくことが、この発明の好ましい態様の一つとされる。
【００１１】
また、爪部を備えた弾性片及び前記伏倒位置において前記弾性片の弾性復帰により前記爪部が引っかかる引っかかり部の一方を前記カバー部材に、これらの他方を前記バックル本体に備えさせて、前記カバー部材が前記バックル本体に嵌合するようにさせておくことが、この発明の好ましい態様の一つとされる。
【発明の効果】
【００１２】
この発明によれば、バックルにおける帯状体に対する留め付け状態を安定的に確保しながら、帯状体に留め付けられたバックルの外観性を効果的に向上させることができる。
【図面の簡単な説明】
【００１３】
【図１】図１は、この発明の一実施の形態にかかるバックルの使用状態を示した平面図である。
【図２】図２は、図１におけるＡ−Ａ線位置での断面図である。
【図３】図３は、前記バックルを構成するバックル本体に前記バックルを構成するカバー部材を取り付ける過程を示した斜視図である。
【図４】図４は、前記バックル本体をバックル前面側から見た斜視図である。
【図５】図５は、前記バックル本体をバックル背面側から見た斜視図である。
【図６】図６は、前記バックル本体の平面図である。
【図７】図７は、前記バックル本体の正面図である。
【図８】図８は、前記バックル本体の底面図である。
【図９】図９は、前記バックル本体の左側面図である。
【図１０】図１０は、前記バックル本体の右側面図である。
【図１１】図１１は、図６におけるＢ−Ｂ線位置での断面図である。
【図１２】図１２は、前記カバー部材をバックル前面側から見た斜視図である。
【図１３】図１３は、前記カバー部材をバックル前面側から見た斜視図である。
【図１４】図１４は、前記カバー部材をバックル背面側から見た斜視図である。
【図１５】図１５は、前記カバー部材の平面図である。
【図１６】図１６は、前記カバー部材の正面図である。
【図１７】図１７は、前記カバー部材の底面図である。
【図１８】図１８は、前記カバー部材の左側面図である。
【図１９】図１９は、前記カバー部材の右側面図である。
【図２０】図２０は、図１５におけるＣ−Ｃ線位置での断面図である。
【発明を実施するための形態】
【００１４】
以下、図１〜図２０に基づいて、この発明の典型的な実施の形態について、説明する。
【００１５】
この実施の形態にかかるバックルは、帯状体３を挿通可能な枠状を呈したバックル本体１と、このバックル本体１に取り付けられるカバー部材２とを備えてなる。
【００１６】
バックル本体１は、帯状体３を挿通することでこの帯状体３に留め付く留め付け部分４を少なくとも一箇所備えてなるものである。図示の例では、バックル本体１は、図１及び図２における左側に前記留め付け部分４を備え、図１及び図２における右側に帯状体３の掛け回し部分５を備えた構成となっている。前記留め付け部分４においては、挿通された帯状体３に対しバックル本体１は留め付け位置の調整可能に留め付くようになっている。これにより、図示の例では、図１及び図２における左側の帯状体３と、図１及び図２における右側の帯状体３とを、バックル本体１を介して位置調整可能につなぎ合わせることができるようになっている。図１及び図２における左側の帯状体３と図１及び図２における右側の帯状体３とが別体である場合は、バックル本体１を介して二本の帯状体３、３をつなぎ合わせることができる。また、図１及び図２における左側の帯状体３が一本の帯状体３の左端側であり、図１及び図２における右側の帯状体３が同一の帯状体３の右端側である場合は、バックル本体１によって一本の帯状体３を径調節可能に環状化することができる。
【００１７】
カバー部材２は、前記バックル本体１に取り付けられた状態において、前記留め付け部分４にある帯状体３の一部を前記留め付け部分４を構成する後述の第二クロスバー７との間で挟持するようになっている（図２参照）。
【００１８】
かかるカバー部材２によって、前記バックル本体１の帯状体３に対する留め付け位置が予期せずズレてしまう事態を、できるだけ防止するようになっている。また、かかるカバー部材２によって、枠状を呈する前記バックル本体１の内側の全部又は一部を覆って、バックルの外観性を向上するようになっている（図１参照）。図示の例では、カバー部材２は、バックル前面Ｆ側からこのバックル本体１に取り付けられてこのバックル本体１の内側の全体を覆うようになっている。
【００１９】
前記バックル本体１は、挿通される帯状体３の幅方向に沿うように配される第一クロスバー６及び第二クロスバー７と、この第一クロスバー６及び第二クロスバー７に直交する向きに延びる一対のサイドフレーム部８、８とを有している。
【００２０】
図示の例では、一対のサイドフレーム部８、８の一端部間には一端側エンドバー９が架設されると共に、一対のサイドフレーム部８、８の他端部間には他端側エンドバー１０が架設されており、一対のサイドフレーム部８、８と一端側エンドバー９と他端側エンドバー１０とによって枠状をなすバックル本体１の外郭が形成されている。
【００２１】
第一クロスバー６は、第二クロスバー７と一端側エンドバー９との間において、一対のサイドフレーム部８、８間に架設されている。
【００２２】
また、前記掛け回し部分５は、第二クロスバー７と他端側エンドバー１０との間において、一対のサイドフレーム部８、８間に架設されたバーによって構成されている。
【００２３】
図示の例では、一対のサイドフレーム部８、８間の距離は、他端側エンドバー１０の側において最も広く、一端側エンドバー９の側に近づくに連れて漸減するように構成されている（図１、図６参照）。
【００２４】
また、図示の例では、一対のサイドフレーム部８、８は、バックル背面Ｒ側（図２、図１１の下側）において、一端側エンドバー９の直下位置を除き、このバックル背面Ｒの一部を構成する裏側縁部８ａを、仮想の一つの平面ｘ（図１１参照）上に実質的に位置させるようになっている。
【００２５】
一方、一対のサイドフレーム部８、８の表側縁部８ｂは、第二クロスバー７の架設位置を傾斜上とし、一端側エンドバー９及び他端側エンドバー１０の架設位置を傾斜下とするように、緩やかに傾斜した構成となっている。
【００２６】
第二クロスバー７は、サイドレーム部の表側縁部８ｂに連なる表面７ａと、一端側エンドバー９側に向けられた側面７ｂとを有している。第二クロスバー７はバックル前面Ｆ側に位置され第二クロスバー７とサイドフレーム部８の裏側縁部８ａ間には間隔が形成されている。第二クロスバー７の前記側面７ｂは、前記表面７ａとの間に実質的に第一偶角部７ｅを形成する第一面７ｃと、この第一面７ｃとの間に鈍角の第二偶角部７ｆを形成する第二面７ｄとから構成されている。
【００２７】
第一クロスバー６は、サイドフレーム部８の裏側縁部８ａに連なる裏面６ａと、この裏面６ａとの間に鋭角をなす第三偶角部６ｃを形成すると共に第二クロスバー７の第二面７ｄと実質的に平行をなす傾斜面６ｂとを有している。前記第二偶角部７ｆを通るバックル表裏方向に沿った仮想の直線ｙと、前記第三偶角部６ｃを通るバックル表裏方向に沿った仮想の直線ｚとの間の距離は、挿通される帯状体３の厚さより小さくなっている（図１１参照）。
【００２８】
バックル本体１内に、帯状体３を、掛け回し部分５と第二クロスバー７との間を通じてバックル背面Ｒ側から導入してバックル前面Ｆ側に引き出し、次いで、バックル前面Ｆ側に引き出された帯状体３を第二クロスバー７と第一クロスバー６との間を通じてバックル背面Ｒ側に引き出し、第一クロスバー６の下において上下に帯状体３が重なるようにすると、前記第一偶角部７ｅと前記第三偶角部６ｃとがそれぞれ帯状体３に押しつけられる（図２参照）。前記帯状体３に張力が作用されればされるほど帯状体３に対する前記第一偶角部７ｅ及び前記第三偶角部６ｃの押しつけ力は大きくなる。これにより、留め付け部分４において、挿通された帯状体３にバックル本体１が留め付けられる。
【００２９】
一方、前記カバー部材２は、前記帯状体３の長さ方向に沿う向きの寸法を、二箇所の前記エンドバー９、１０間、つまり、前記一端側エンドバー９と前記他端側エンドバー１０との間の距離と実質的に等しくさせてなる。
【００３０】
また、前記カバー部材２は、前記帯状体３に接して前記挟持をなす挟持部分１１を、前記カバー部材２の内面部１２から突き出すリブ状とさせている。
【００３１】
また、前記カバー部材２は、前記挟持部分１１を、前記一端側エンドバー９と前記第二クロスバー７との間に位置させるように構成されている。
【００３２】
図示の例では、カバー部材２は、バックル本体１に対する取り付け状態において、一端側エンドバー９に向き合う一端側辺部１３と、他端側エンドバー１０に向き合う他端側辺部１４と、サイドフレーム部８に向き合う長さ側辺部１５との四つの辺部１３…１５を備え、その外郭形状を前記バックル本体１の枠内空間の形状に倣わせた板状を呈している。
【００３３】
カバー部材２は、前記バックル本体１に取り付けられた状態において前記仮想の一つの平面ｘに実質的に平行をなす頂部１６を有する。前記一端側辺部１３と前記頂部１６との間は、頂部１６との間にバックル背面Ｒ側に鈍角を形成する一端側傾斜部１７となっている。また、前記他端側辺部１４と前記頂部１６との間は、頂部１６との間にバックル背面Ｒ側に鈍角を形成する他端側傾斜部１８となっている。
【００３４】
カバー部材２のバックル背面Ｒ側に向けられた内面部１２であって、前記一端側傾斜部１７には、カバー部材２の一対の長さ側辺部１５間に亘るようにして、リブ状をなす前記挟持部分１１が形成されている。
【００３５】
また、カバー部材２の内面部１２であって、前記他端側傾斜部１８には、長さ側辺部１５から突き出す三角形状の突片１９が形成されている。
【００３６】
図示の例では、バックル本体１にバックル前面Ｆ側からカバー部材２を取り付けた状態において、前記のように帯状体３が掛け回された第二クロスバー７が前記頂部１６と前記挟持部分１１と前記突片１９とに囲まれた空間内に位置されるようになっている（図２参照）。それと共に、前記挟持部分１１が前記第二クロスバー７の前記第一面７ｃとの間で帯状体３を挟持するようになっている。カバー部材２とバックル本体１との間に生じる挟持力は、リブ状をなす挟持部分１１に集中することから、前記バックル本体１の帯状体３に対する留め付け位置が予期せずズレてしまう事態は効果的に防止される。
【００３７】
前記カバー部材２は、その一端側に、二箇所の前記エンドバー９、１０の一方に設けた被係合部１０ａに対する係合部２０を有している。図示の例では、カバー部材２は、前記他端側エンドバー１０に設けた被係合部１０ａに対する係合部２０を有している。
【００３８】
そして、前記カバー部材２は、前記被係合部１０ａに前記係合部２０を係合させると共にその他端を前記バックル本体１と離隔させた起立状態から前記係合部２０を支点としてその他端を前記バックル本体１に接しさせる伏倒位置まで移動させることで、前記バックル本体１に嵌合するようになっている。
【００３９】
具体的には、この実施の形態にあっては、図３（ａ）に示されるように、バックル本体１の留め付け部分４に帯状体３を前記のように留め付けると共に、掛け回し部分５に帯状体３を前記のように掛け回した状態から、図３（ｂ）に示されるように、バックル本体１の他端側エンドバー１０の下方に他端側辺部１４の外側に形成された係合部２０を押し込み係合させ、この後、図３（ｃ）に示されるように、カバー部材２の一端側辺部１３がバックル本体１内に納まる伏倒位置までカバー部材２を回動させることで、前記バックル本体１に嵌合するようになっている。
【００４０】
図示の例では、カバー部材２の他端側辺部１４から外側に突き出す突出片２１に、カバー部材２の外面部側において、カバー部材２の幅方向に沿った溝２２が形成されており、この溝２２により突出片２１の端末にリブ状の突出部を形成させており、この突出部が前記係合部２０として機能するようになっている。一方、バックル本体１のバックル背面Ｒ側において他端側エンドバー１０に前記係合部２０が納まる溝が形成されており、この溝が前記被係合部１０ａとして機能するようになっている。
【００４１】
この実施の形態にあっては、爪部２３ａを備えた弾性片２３及び前記伏倒位置において前記弾性片２３の弾性復帰により前記爪部２３ａが引っかかる引っかかり部９ａの一方を前記カバー部材２に、これらの他方を前記バックル本体１に備えさせて、前記カバー部材２が前記バックル本体１に嵌合するようにしている。図示の例では、前記弾性片２３をカバー部材２に、前記引っかかり部９ａをバックル本体１に備えさせている。
【００４２】
図示の例では、カバー部材２の一端側辺部１３に、この一端側辺部１３に平行をなすようにカバー部材２の内面部１２より突き出す板状立ち上がり部２４が形成されている。この板状立ち上がり部２４に、この板状立ち上がり部２４を貫通する割り溝２５によって、板状立ち上がり部２４の基部側を自由端とし、板状立ち上がり部２４の突き出し側を基部とする弾性片２３が形成されている。前記爪部２３ａは、この弾性片２３の自由端であって、カバー部材２の伏倒位置において一端側エンドバー９に向き合う側に形成されている。一方、一端側エンドバー９における第一クロスバー６に向けられた側には、前記爪部２３ａが引っかかる突出部が形成されており、この突出部が前記引っかかり部９ａとして機能するようになっている。前記起立位置にあるカバー部材２を前記伏倒位置に向けて回動させると、前記爪部２３ａがバックル前面Ｆ側から前記引っかかり部９ａに当たり弾性片２３が弾性変形し、この弾性変形により前記爪部２３ａは引っかかり部９ａを乗り越え、カバー部材２の伏倒位置への回動が許容される。カバー部材２が伏倒位置に至ると、弾性片２３が弾性復帰し、爪部２３ａが引っかかり部９ａに引っかかり、カバー部材２のバックル本体１に対する取り付け状態、すなわち、前記カバー部材２と前記第二クロスバー７との間で前記帯状体３を挟持した状態が維持される。
【００４３】
前記カバー部材２の弾性片２３への弾性変形特性の付与は、このカバー部材２をプラスチックの成形品とすることで、容易に確保できる。
【００４４】
なお、当然のことながら、本発明は以上に説明した実施態様に限定されるものではなく、本発明の目的を達成し得るすべての実施態様を含むものである。
【符号の説明】
【００４５】
１  バックル本体
２  カバー部材
３  帯状体
４  留め付け部分
６  第一クロスバー
７  第二クロスバー
８  サイドフレーム部
Ｒ  バックル背面
Ｆ  バックル前面
【図１】
0006473090.tif 000002
【図２】
0006473090.tif 000003
【図３】
0006473090.tif 000004
【図４】
0006473090.tif 000005
【図５】
0006473090.tif 000006
【図６】
0006473090.tif 000007
【図７】
0006473090.tif 000008
【図８】
0006473090.tif 000009
【図９】
0006473090.tif 000010
【図１０】
0006473090.tif 000011
【図１１】
0006473090.tif 000012
【図１２】
0006473090.tif 000013
【図１３】
0006473090.tif 000014
【図１４】
0006473090.tif 000015
【図１５】
0006473090.tif 000016
【図１６】
0006473090.tif 000017
【図１７】
0006473090.tif 000018
【図１８】
0006473090.tif 000019
【図１９】
0006473090.tif 000020
【図２０】
0006473090.tif 000021